(57)【要約】      （修正有）【課題】視聴者（ユーザ）の目の疲労を低減することが可能な映像出力装置を提供する。【解決手段】実施形態の映像出力装置は、立体視映像を出力する立体視映像出力部を備える。また、撮像を行い、この撮像映像からユーザを検出する検出部を備える。また、前記検出されたユーザの瞬きの回数をカウントするカウント部を備える。また、前記カウントされたユーザの瞬きの回数が、予め設定された値を超える場合は、前記立体視映像より奥行きが小さい立体視映像を出力するよう制御する制御部を備える。【選択図】図３
2013157961.tif 000002
【特許請求の範囲】
【請求項１】
立体視映像を出力する立体視映像出力部と、
立体映像出力部と対抗するユーザの瞬きの回数をカウントするカウント部と、
前記カウントされたユーザの瞬きの回数が、予め設定された値を超える場合は、前記立体視映像より奥行きが小さい立体視映像を出力するよう制御する制御部を備える映像出力装置。
【請求項２】
前記ユーザ検出はフェイストラッキング処理を含む請求項１に記載の映像出力装置。
【請求項３】
前記ユーザ検出は複数のユーザを検出可能である請求項１に記載の映像出力装置。
【請求項４】
前記カウントされた瞬きの回数が前記予め設定された値を超える場合に、メッセージを出力するメッセージ出力部を備える請求項１に記載の映像出力装置。
【請求項５】
前記予め設定された値を変更可能な表示画面を出力する表示画面出力部を備える請求項１に記載の映像出力装置。
【請求項６】
前記出力される立体視映像より奥行きが小さい立体視映像は、前記ユーザの瞬き回数が増加すると段階的に小さくなるように制御される請求項１に記載の映像出力装置。
【請求項７】
前記出力される立体視映像より奥行きが小さい立体視映像の出力を設定可能な表示画面を出力する設定画面出力部を備える請求項１に記載の映像出力装置。
【請求項８】
立体視映像を出力するステップと、
撮像を行い、この撮像映像からユーザを検出するステップと、
前記検出されたユーザの瞬きの回数をカウントするステップと、
前記カウントされたユーザの瞬きの回数が、予め設定された値を超える場合は、前記立体視映像より奥行きが小さい立体視映像を出力するよう制御するステップを備える映像出力方法。
【請求項９】
立体視映像を出力するステップと、
撮像を行い、この撮像映像からユーザを検出するステップと、
前記検出されたユーザの瞬きの回数をカウントするステップと、
前記カウントされたユーザの瞬きの回数が、予め設定された値を超える場合は、前記立体視映像より奥行きが小さい立体視映像を出力するよう制御するステップを備え、映像出力装置を制御する映像出力装置の制御プログラム。
【発明の詳細な説明】
【技術分野】
【０００１】
本発明の実施形態は、映像出力装置、映像出力方法、映像出力装置の制御プログラムに関する。
【背景技術】
【０００２】
近年、３Ｄ（３次元または立体視）映像を出力可能な映像出力装置が普及している。
【０００３】
しかし、立体視（３Ｄ）映像は、平面（２Ｄ）映像を立体に見せる技術を利用している。また、平面（２Ｄ）映像に比べ、なじみが薄い。
【０００４】
このため、例えば、視聴者（ユーザ）の目の疲労を心配する声がある。
【０００５】
立体視（３Ｄ）映像の視聴は視聴者（ユーザ）にとって慣れていない場合が多く、目に疲労が発生する可能性があるため、立体視（３Ｄ）映像視聴による目への影響を低減することが可能な映像出力装置を提供することが課題になっていた。
【先行技術文献】
【特許文献】
【０００６】
【特許文献１】特開平８−２８９３２７号公報
【発明の概要】
【発明が解決しようとする課題】
【０００７】
視聴者（ユーザ）の目への立体視（３Ｄ）映像による影響を低減することが可能な映像出力装置を提供することが課題になっていた。
【課題を解決するための手段】
【０００８】
実施形態の映像出力装置は、立体視映像を出力する立体視映像出力部を備える。
【０００９】
また、撮像を行い、この撮像映像からユーザを検出する検出部を備える。
【００１０】
また、前記検出されたユーザの瞬きの回数をカウントするカウント部を備える。
【００１１】
また、前記カウントされたユーザの瞬きの回数が、予め設定された値を超える場合は、前記立体視映像より奥行きが小さい立体視映像を出力するよう制御する制御部を備える。
【図面の簡単な説明】
【００１２】
【図１】実施形態に係わる映像出力装置の使用状況の一例を示す図。
【図２】実施形態に係わる映像出力装置の構成を示すブロック図。
【図３】実施形態に係わる映像出力装置の映像処理部の構成を示すブロック図。
【図４】実施形態に係わる映像出力装置から出力される瞬き検出３Ｄ奥行き調整機能の設定画面を示す図。
【図５】実施形態に係わる映像出力装置から出力される瞬き検出の設定値の設定画面を示す図。
【図６】実施形態に係わる映像出力装置から出力されるメッセージの出力画面を示す図。
【図７】実施形態に係わる映像出力装置に構成される、ユーザの瞬き回数が増加すると立体視（３Ｄ）映像の奥行きを段階的に小さくする制御例を示す図。
【図８】実施形態に係わる映像出力装置の動作を説明するフローチャート。
【発明を実施するための形態】
【００１３】
以下、図面を参照し、実施の形態を説明する。
【００１４】
図１は、実施形態に係わる映像出力装置の使用状況の一例を示す図である。
【００１５】
ここでは、映像出力装置の一例として、映像出力装置（デジタルテレビ）１Ａを用いて説明を行う。
【００１６】
なお、この実施形態においては、映像出力装置は、ＰＣ（パーソナルコンピュータ）等の電子機器やスマートフォン等の携帯型端末にも適用可能である。
【００１７】
この実施形態においては、映像出力装置１Ａは、図１に示すように、立体視（３Ｄ）映像を出力することが可能である。
【００１８】
この実施形態における映像出力装置１Ａは、立体視（３Ｄ）映像を視聴するためのグラス（３Ｄグラス）を使用しないもの（グラスレス）、３Ｄグラスを使用するもの等に適用することが可能である。
【００１９】
この立体視（３Ｄ）映像は、後述する３Ｄ奥行き（デプス）調整を行なわない場合は、受信した映像信号に付与されている奥行き（デプス）値（ここでは、奥行き（デプス）基準値）を用いて、出力される。
【００２０】
そして、この実施形態においては、映像出力装置１Ａは、例えば、表示画面８の近傍に設けられ、視聴者を撮像できるように視聴者に向けて設けられた撮像装置（カメラ）３０Ａを備えている。
【００２１】
映像出力装置１Ａは、この撮像装置（カメラ）３０Ａを用いて撮像を行い、撮像映像を出力する。
【００２２】
そして、映像出力装置１Ａは、例えば、フェイストラッキングを用い、この撮像映像からユーザを検出する。
【００２３】
ここで、フェイストラッキングの説明をする。
【００２４】
フェイストラッキングとは、カメラを用い、視聴者（ユーザ）の位置（顔）を認識し、この検出した顔の位置に基づいて、視聴者（ユーザ）が、左右それぞれの目で立体視に好適な映像を視認できるように、映像を出力（表示）し、視聴者（ユーザ）の眼に正しい映像が届くようにする技術である。
【００２５】
この実施形態においては、視聴者（ユーザ）Ａおよび視聴者（ユーザ）Ｂの複数の視聴者（ユーザ）が、映像出力装置１Ａの表示部（表示画面）８に表示出力された立体視（３Ｄ）映像を視聴している。
【００２６】
そして、映像出力装置１Ａは、上記撮像映像から、複数の視聴者（ユーザ）（視聴者（ユーザ）Ａおよび視聴者（ユーザ）Ｂ）の位置（顔）を認識し、複数の視聴者（ユーザ）の眼の瞬きの回数をカウントする。
【００２７】
また、このフェイストラッキングでは視聴者（ユーザ）が動いた場合も、視聴者（ユーザ）の顔を追尾し、テレビはユーザの顔の位置で立体視映像を視聴可能な好適な映像を表示する。これにより、視聴者（ユーザ）は立体視（３Ｄ）映像を良好に視聴することができる。
【００２８】
また、この実施形態においては、上記カウントされたユーザの瞬きの回数が、予め設定された値を超える場合は、上記立体視（３Ｄ）映像より奥行きが小さい立体視（３Ｄ）映像を出力するよう制御する。
【００２９】
図２は、実施形態に係わる映像出力装置の構成を示すブロック図である。
【００３０】
この実施形態において、制御部１１はＣＰＵ（１２）を備えている。ＣＰＵ（１２）は映像表示装置１Ａを制御する。
【００３１】
また、ＲＡＭ（１３）、ＲＯＭ（１４）、フラッシュメモリ１５は、例えば、制御部１１で行われる処理に利用される。
【００３２】
また、フラッシュメモリ１５は、このシステムに設定される機器の情報や予め設定されるユーザの情報を記憶することも可能である。
【００３３】
そして、例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００３４】
信号処理部４で受信されたデジタル信号の映像コンテンツは信号処理が施され、音声処理部６および映像処理部５に送信される。
【００３５】
音声処理部６は、信号処理が施された映像コンテンツを受信し、音声処理を施した信号をスピーカ９に送信する。
【００３６】
スピーカ９は、音声処理が施された信号を受信し、音声を出力する。
【００３７】
また、映像処理部５は、信号処理が施された映像コンテンツを受信し、映像処理を施した信号を表示装置７に送信する。
【００３８】
表示装置７は、映像処理が施された信号を受信し、ＬＣＤパネル等で構成される表示画面（映像表示部）８に映像を表示する。
【００３９】
また、この実施の形態においては、映像表示装置１Ａは内部記憶装置１７を備えている。この内部記憶装置１７は、上記外部記録機器１９と同様に、受信した放送番組を丸録りし、タイムシフト再生することが可能である。
【００４０】
また、この実施の形態においては、映像表示装置１Ａは、上記のようにＵＳＢ接続やＬＡＮ接続される外部記憶機器１９を備えている。上記受信された映像コンテンツはこの外部記憶機器１９に記録することも可能である。
【００４１】
また、この実施の形態においては、映像表示装置１Ａは、上記撮像部３０Ａを備え、ユーザを撮像することが可能である。
【００４２】
また、上記のように、映像表示装置１Ａに対するユーザの操作は、例えばリモコン（リモートコントローラ）２１等の操作機器によって指示される。
【００４３】
これらの処理は、上記のように、制御部１１に制御される。
【００４４】
また、映像表示装置１Ａは、送受信部（ネットワークインターフェース）２２、ネットワーク２６を介してサーバ２７に接続され、例えば、図２に示すように映像表示装置１Ｂとネットワークで接続される。
【００４５】
図３は、実施形態に係わる映像出力装置の映像処理部の構成を示すブロック図である。
【００４６】
上記のように、例えば、映像出力装置１Ａに設けられた撮像装置（カメラ）３０Ａで１人または複数の視聴者（ユーザ）が撮像され、上記映像処理部５に向けて視聴者の撮像映像が出力される。
【００４７】
この視聴者の撮像映像は、顔画像検出部７１で受信され、例えば、上記フェイストラッキング処理が行われる。そして、複数の視聴者（ユーザ）（例えば、視聴者（ユーザ）Ａおよび視聴者（ユーザ）Ｂ）の位置（顔）が認識される。
【００４８】
続いて、このフェイストラッキング処理に用いられた映像データは、瞬き検出部７２に向けて出力される。
【００４９】
瞬き検出部７２では、上記のように、複数の視聴者（ユーザ）（例えば、視聴者（ユーザ）Ａおよび視聴者（ユーザ）Ｂ）それぞれの眼の瞬きの回数をカウントする。そして、ここでカウントされた上記複数の視聴者（ユーザ）（例えば、視聴者（ユーザ）Ａおよび視聴者（ユーザ）Ｂ）それぞれの眼の瞬きの回数の値が、瞬き回数による奥行き調整部７３に向けて出力される。
【００５０】
瞬き回数による奥行き調整部７３では、各ユーザの所定時間の瞬き回数のカウント値を、予め設定された値（例えば、４０回／分）と比較する。
【００５１】
ここで、成人男性の瞬き回数は、平均は２０回から３０回程度、そして一般に、４０回程度の瞬き回数は多いと言われている。
【００５２】
そこで、この実施形態では、目が疲労した場合の瞬き回数を４０回／分以上とした。
【００５３】
しかし、この実施形態では、ユーザの所定時間の瞬き回数のカウント値と比較する、上記予め設定された値を、例えば、４０回／分としたが、この設定値は、後述するように変更することが可能である。
【００５４】
そして、上記複数の視聴者（ユーザ）（例えば、視聴者（ユーザ）Ａおよび視聴者（ユーザ）Ｂ）の中で、一人でも、上記予め設定された値（例えば、４０回／分）を超える瞬き回数が検出されたかをチェックする。
【００５５】
そして、一人でも、上記予め設定された値（例えば、４０回／分）を超える瞬き回数が検出されたユーザがいる場合は、例えば、立体視（３Ｄ）映像生成部７６に向けて、立体視（３Ｄ）映像の「奥行き調整値」を出力する。
【００５６】
この「奥行き調整値」は、例えば、上記全ユーザの最大瞬き回数カウント値に応じ、立体視（３Ｄ）映像の奥行き（デプス）値が小さくなるように指示する。
【００５７】
また、ここでは、上記チューナ３等の入力装置から立体視（３Ｄ）映像が出力される。この立体視（３Ｄ）映像には、奥行き（デプス）値が付与されている。そして、この立体視（３Ｄ）映像は、映像受信部７４で受信され、３Ｄ奥行生成部７５に向けて出力される。
【００５８】
３Ｄ奥行生成部７５は、受信した映像信号に付与されている奥行き（デプス）値（ここでは、「奥行き基準値」）を、上記立体視（３Ｄ）映像生成部７６に向けて出力する。
【００５９】
そして、立体視（３Ｄ）映像生成部７６は、上記瞬き回数による奥行き調整部７３から出力された「奥行き調整値」および、３Ｄ奥行生成部７５から出力された「奥行き基準値」を受信し、上記「奥行き基準値」で決定される上記立体視（３Ｄ）映像よりも奥行きが小さい立体視（３Ｄ）映像を生成し、出力する。
【００６０】
この立体視（３Ｄ）映像生成部７６から出力された立体視（３Ｄ）映像は、表示画面８で受信され、上記立体視（３Ｄ）映像よりも奥行きが小さい立体視（３Ｄ）映像が表示出力される。
【００６１】
図４は、実施形態に係わる映像出力装置から出力される瞬き検出３Ｄ奥行き調整機能の設定画面を示す図である。
【００６２】
この実施形態においては、映像出力装置１Ａは、例えば、ユーザのリモコン２１操作に応じ、例えば、表示画面８に、瞬き検出３Ｄ奥行き調整機能の設定画面を出力することが可能である。
【００６３】
ここでは、例えば、表示画面８に、「瞬き検出３Ｄ奥行き（デプス）調整機能を設定しますか？」と表示出力される。
【００６４】
ユーザは、例えば、リモコン２１を操作し、上記「瞬き検出３Ｄ奥行き（デプス）調整機能」を設定する場合は、「Ｙｅｓ」３１を指定する。また、「瞬き検出３Ｄ奥行き（デプス）調整機能」を設定する場合は、「Ｎｏ」を指定する。ここでは、「Ｙｅｓ」３１が指定されている。
【００６５】
ここでの設定は、例えば、上記フラッシュメモリ１５に記憶される。
【００６６】
図５は、実施形態に係わる映像出力装置から出力される瞬き検出の設定値の設定画面を示す図である。
【００６７】
この実施形態においては、映像出力装置１Ａは、例えば、ユーザのリモコン２１操作に応じ、例えば、表示画面８に、「瞬き検出の設定値」の設定画面を出力することが可能である。
【００６８】
ここでは、「瞬き検出の設定値」として、例えば、「１分間に４０回」が予め設定されている。
【００６９】
そして、ここでは、ユーザは、例えば、リモコン２１の「＋」キー、「−」キー等を操作し、上記「瞬き検出の設定値」を変更することが可能である。
【００７０】
そして、ユーザは、例えば、リモコン２１を操作し、表示されている「瞬き検出の設定値」を設定する場合は、「Ｙｅｓ」４１を指定する。また、「瞬き検出３Ｄ奥行き（デプス）調整機能」を設定する場合は、「Ｎｏ」を指定する。ここでは、「Ｙｅｓ」４１が指定されている。
【００７１】
ここでの設定は、例えば、上記フラッシュメモリ１５に記憶される。
【００７２】
図６は、実施形態に係わる映像出力装置から出力されるメッセージの出力画面を示す図である。
【００７３】
この実施形態においては、上記のように、映像出力装置１Ａの前にいる一人または複数の視聴者（ユーザ）の瞬き回数が検出される。そして、各ユーザの所定時間の瞬き回数のカウント値が、予め設定された値（例えば、４０回／分）と比較される。
【００７４】
そして、ここでは、上記複数の視聴者（ユーザ）の中で、一人でも、上記予め設定された値（例えば、４０回／分）を超える瞬き回数が検出された場合は、図６に示すように、表示画面８に、例えば、「目が疲れていませんか？」というメッセージが表示出力される。
【００７５】
このメッセージは、上記「瞬き検出３Ｄ奥行き調整」と合わせて行なうことで、より、視聴者（ユーザ）の目の疲労を低減する効果が期待できる。
【００７６】
図７は、実施形態に係わる映像出力装置に構成される、ユーザの瞬き回数が増加すると立体視（３Ｄ）映像の奥行きを段階的に小さくする制御例を示す図である。
【００７７】
ここでは、縦軸は、上記立体視（３Ｄ）映像生成部７６から出力される立体視（３Ｄ）映像の奥行き（デプス）値のようすを示している。
【００７８】
横軸は、上記検出される視聴者（ユーザ）の瞬き回数である。上記のように、この瞬き回数は、複数のユーザの中で最大の値が好ましいが、平均値を用いる等、種々、変更は可能である。
【００７９】
上記のように、立体視（３Ｄ）映像生成部７６は、上記瞬き回数による奥行き調整部７３から出力された「奥行き調整値」および、３Ｄ奥行生成部７５から出力された「奥行き基準値」を受信し、上記のように設定値を超える瞬き回数が検出された場合に、上記「奥行き基準値」で決定される上記立体視（３Ｄ）映像よりも奥行きが小さい立体視（３Ｄ）映像を生成し、出力する。
【００８０】
ここでは、上記検出された視聴者（ユーザ）の瞬き回数が、例えば、４０回に達するまでは、第１の奥行き値の立体視（３Ｄ）映像が生成され、出力される。この第１の奥行き値の立体視（３Ｄ）映像は、上記「奥行き調整値」の影響がないか、または少ないものである。
【００８１】
また、上記検出された視聴者（ユーザ）の瞬き回数が、例えば、４０回を超え、４５回に達するまでは、第２の奥行き値の立体視（３Ｄ）映像が生成され、出力される。この第２の奥行き値の立体視（３Ｄ）映像は、上記第１の奥行き値の立体視（３Ｄ）映像よりも「奥行き調整値」の影響が大きく、すなわち、３Ｄ効果が小さくなる。
【００８２】
これにより、立体視（３Ｄ）映像による影響が低減される。
【００８３】
また、上記検出された視聴者（ユーザ）の瞬き回数が、例えば、４５回を超え、５０回に達するまでは、第３の奥行き値の立体視（３Ｄ）映像が生成され、出力される。この第３の奥行き値の立体視（３Ｄ）映像は、上記第２の奥行き値の立体視（３Ｄ）映像よりも「奥行き調整値」の影響がさらに大きく、すなわち、３Ｄ効果がさらに小さくなる。
【００８４】
これにより、立体視（３Ｄ）映像による影響がさらに低減される。
【００８５】
また、上記検出された視聴者（ユーザ）の瞬き回数が、例えば、５０回を超えると、第４の奥行き値の立体視（３Ｄ）映像が生成され、出力される。この第４の奥行き値の立体視（３Ｄ）映像は、上記第３の奥行き値の立体視（３Ｄ）映像よりも「奥行き調整値」の影響がさらに大きく、すなわち、３Ｄ効果がさらに小さくなる。
【００８６】
これにより、立体視（３Ｄ）映像による影響がさらに低減される。
【００８７】
すなわち、この実施形態においては、ユーザの瞬き回数が増加すると、立体視（３Ｄ）映像の効果は段階的に小さくなるように制御される
図８は、実施形態に係わる映像出力装置の動作を説明するフローチャートである。
【００８８】
ステップＳ１００は、ここでの開始ステップである。続いて、ステップＳ１０１に進む。
【００８９】
ステップＳ１０１は、立体視（３Ｄ）映像を出力する立体視（３Ｄ）映像出力モードが設定されているかを判別するステップである。立体視（３Ｄ）映像出力モードが設定されている場合は、ステップＳ１０２に進む（Ｙｅｓ）。立体視（３Ｄ）映像出力モードが設定されていない場合は、ここでの処理を繰り返す（Ｎｏ）。
【００９０】
ステップＳ１０２は、上記３Ｄ奥行生成部７５から出力される奥行き（デプス）基準値で立体視（３Ｄ）映像を出力するステップである。続いて、ステップＳ１０３に進む。
【００９１】
ステップＳ１０３は、例えば、映像出力装置１Ａの前にいて、映像出力装置１Ａから出力される映像を視聴する視聴者（ユーザ）を撮像し、上記フェイストラッキング処理等で視聴者を検出するステップである。続いて、ステップＳ１０４に進む。
【００９２】
ステップＳ１０４は、上記フェイストラッキング処理等でユーザは検出されたかを判別するステップである。ユーザは検出されたかと判別される場合は、ステップＳ１０５に進む（Ｙｅｓ）。ユーザは検出されないと判別される場合は、ステップＳ１０３に進み、上記処理を繰り返す（Ｎｏ）。
【００９３】
ステップＳ１０５は、上記瞬き検出の設定がされているかを判別するステップである。上記瞬き検出の設定がされていると判別される場合は、ステップＳ１０６に進む（Ｙｅｓ）。上記瞬き検出の設定がされていないと判別される場合は、ステップＳ１０３に進み、上記処理を繰り返す（Ｎｏ）。
【００９４】
ステップＳ１０６は、上記検出されたユーザ（１人または複数）全員の瞬き回数を所定時間、例えば、１分間カウントするステップである。続いて、ステップＳ１０７に進む。
【００９５】
ステップＳ１０７は、各ユーザの所定時間の瞬き回数のカウント値を、予め設定された値（例えば、４０回／分）と比較するステップである。続いて、ステップＳ１０８に進む。
【００９６】
ステップＳ１０８は、上記設定値を超える瞬き回数は検出されたかを判別するステップである。上記設定値を超える瞬き回数は検出されたと判別される場合は、ステップＳ１０９に進む（Ｙｅｓ）。上記設定値を超える瞬き回数は検出されないと判別される場合は、ステップＳ１０２に進み、上記処理を繰り返す（Ｎｏ）。
【００９７】
ステップＳ１０９は、奥行き調整、すなわち、全ユーザの最大瞬き回数カウント値に応じ、奥行き（デプス）値を小さく、した立体視（３Ｄ）映像を出力するステップである。続いて、ステップＳ１１０に進む。
【００９８】
ステップＳ１１０は、図６に示すように、表示画面８に、「目は疲れていませんか？」等のメッセージを出力するステップである。続いて、ステップＳ１０３に進み、上記処理を繰り返す。
【００９９】
すなわち、この実施形態に係る映像出力装置は、立体視（３Ｄ）映像を出力する立体視（３Ｄ）映像出力部（撮像装置（カメラ）３０Ａ）を備える。
【０１００】
また、撮像を行い、この撮像映像からユーザを検出する検出部（顔画像検出部７１）を備える。
【０１０１】
また、上記検出されたユーザの瞬きの回数をカウントするカウント部（瞬き検出部）を備える。
【０１０２】
また、上記カウントされたユーザの瞬きの回数が、予め設定された値を超える場合は、上記立体視（３Ｄ）映像より奥行きが小さい立体視（３Ｄ）映像を出力するよう制御する制御部（瞬き回数による奥行き調整部）を備える。
【０１０３】
また、上記ユーザ検出はフェイストラッキング処理を含む。
【０１０４】
また、上記ユーザ検出は複数のユーザを検出可能である。
【０１０５】
また、上記カウントされた瞬きの回数が上記予め設定された値を超える場合に、メッセージを出力するメッセージ出力部（制御部１１）を備える。
【０１０６】
また、上記予め設定された値を変更可能な表示画面を出力する表示画面出力部（制御部１１）を備える。
【０１０７】
また、上記出力される立体視（３Ｄ）映像より奥行きが小さい立体視（３Ｄ）映像は、上記ユーザの瞬き回数が増加すると段階的に小さくなるように制御される。
【０１０８】
また、上記出力される立体視（３Ｄ）映像より奥行きが小さい立体視（３Ｄ）映像の出力を設定可能な表示画面を出力する設定画面出力部（制御部１１）を備える。
【０１０９】
上記のように構成することによって、この実施形態においては、視聴者（ユーザ）の目の疲労を低減することが可能な映像出力装置を提供することが可能になる。
【０１１０】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１１１】
なお、上記実施形態は、記述そのものに限定されるものではなく、実施段階では、その趣旨を逸脱しない範囲で、構成要素を種々変形して具体化することが可能である。
【０１１２】
また、上記実施形態に開示されている複数の構成要素の適宜な組み合せにより種々の発明を形成できる。
【０１１３】
例えば、実施形態に示される全構成要素から幾つかの構成要素を削除してもよい。更に、異なる実施形態に亘る構成要素を適宜組み合せてもよい。
【符号の説明】
【０１１４】
１Ａ…映像出力装置、２…アンテナ、３…チューナ、４…信号処理部、５…映像処理部、６…音声処理部、７…表示装置、８…表示画面（映像表示部）、９…スピーカ、１０…バス、１１…制御部、１２…ＣＰＵ、１３…ＲＡＭ、１４…ＲＯＭ、１５…フラッシュメモリ、１６…記憶部、１７…内部記録装置、１８…外部インターフェース、２５…放送局、２６…ネットワーク、２７…サーバ、３０Ａ…撮像部（カメラ）、７１…顔画像検出部（フェイストラッキング）、７２…瞬き検出部、７３…瞬き回数による奥行き調整部、７４…映像受信部、７５…３Ｄ奥行生成部、７６…立体視（３Ｄ）映像生成部。
【図１】
2013157961.tif 000003
【図２】
2013157961.tif 000004
【図３】
2013157961.tif 000005
【図４】
2013157961.tif 000006
【図５】
2013157961.tif 000007
【図６】
2013157961.tif 000008
【図７】
2013157961.tif 000009
【図８】
2013157961.tif 000010